(57)【要約】【課題】食器洗いスポンジ等を清潔な状態で継続的に使用することができる除菌装置を提供すること。【解決手段】本体容器１は、内部に食器洗い用スポンジ等を置く網目状の土台と、振動抑制用脚ゴムが設けられていて、本体容器蓋は、内部に外部から吸気を行う吸気口と静電霧化により帯電微粒子水を発生させる静電霧化発生装置ユニットと外部から吸気を行い送風用排気口から本体容器に送風させるための送風回転ファンおよび送風回転ファンを駆動させるためのモータを設け、静電霧化発生ユニットで発生させた帯電微粒子水を送風用排気口から本体容器内部に放出し、本体内部の食器洗い用スポンジ等を置く網目状の土台の上にあるスポンジ等の内部の奥深くを確実に浸透させながら通り抜けることで、脱臭・除菌を行うことができるので、食器洗い用スポンジ等を常時清潔に保つことができる。【選択図】図１
2018000398.tif 000002
【特許請求の範囲】
【請求項１】
内部に収納空間を備えるとともに、前記収納空間に被収納物を出し入れする開口部を有する本体と、
前記本体の前記開口部を開口可能な蓋と、
外気を吸気する吸気口と前記収納空間と連通する放出口を有する通風路と、
前記通風路に帯電微粒子水を放出する静電霧化発生装置ユニットと、
前記通風路の前記吸気口から吸気された空気を前記放出口から前記収納空間へ送風する送風手段と、を備えることを特徴とする除菌装置。
【請求項２】
前記本体の下部に排水口を形成することを特徴とする請求項１に記載の除菌装置。
【発明の詳細な説明】
【技術分野】
【０００１】
本発明は、食器洗いスポンジ等の除菌装置に関するものである。
【背景技術】
【０００２】
従来、食器洗いスポンジや台布巾等の除菌方法として、「水洗い後室内乾燥」、「熱湯消毒」、「天日干し」などがあった。
【０００３】
従来提案されている除菌方法として、例えば、本体容器の内部に除菌溶液を満たし、除菌溶液内にスポンジ等を漬け置くことにより、除菌を行う方法がある（例えば、特許文献１参照）。
【０００４】
以下、図７、図８を用いて従来のスポンジ除菌装置について説明する。
【０００５】
図７、図８において、本体容器１０１には、除菌溶液１０６を入れる空間が設けられている。また、本体容器１０１の上部には、食器洗い作業中のスポンジ１０７を置く作業皿１０４が設けられている。
【０００６】
作業皿１０４には複数の穴１０２が形成されている。また、作業皿１０４には、係合を行う為の爪部１０３が設けられており、本体容器１０１には、爪部１０３と係合嵌合する係止部１０５が設けられている。本体容器１０１と作業皿１０４は、爪部１０３と係止部１０５により嵌合を保持して固定されている。
【０００７】
本体容器１０１内には除菌溶液１０６が満たされている。食器洗い作業中は、食器洗いスポンジ１０７を作業皿の上に乗せ、食器の洗い作業終了後には、スポンジ１０７を本体容器の除菌溶液１０６に漬け置くことでスポンジ１０７を除菌する。
【０００８】
また、定期的に本体容器と作業皿を洗浄し、新しい除菌溶液と入れ替えることで繰り返し使用することができる。
【先行技術文献】
【特許文献】
【０００９】
【特許文献１】特開２０１３−１１６３００号公報
【発明の概要】
【発明が解決しようとする課題】
【００１０】
しかしながら、前記従来の構成では、薬剤特有の臭いがスポンジに付着したり、本体容器外部に発生するという課題があった。また、除菌溶液の定期的な入替え作業が使用者にとって手間であるという課題があった。
【００１１】
本発明は、前記従来の課題を解決するもので、帯電微粒子水を生成する静電霧化発生装置を構成し、スポンジ等に帯電微粒子水を放出することにより、除菌溶液等の薬剤を使用せずに、スポンジ等の除菌・消臭を行うことができる除菌装置を提供することを目的としている。
【課題を解決するための手段】
【００１２】
上記目的を達成するために、本発明の除菌装置は、内部に収納空間を備えるとともに、前記収納空間に被収納物を出し入れする開口部を有する本体と、前記本体の前記開口部と
開口可能な蓋と、外気を吸気する吸気口と前記収納空間と連通する放出口を有する通風路と、前記通風路に帯電微粒子水を放出する静電霧化発生装置ユニットと、前記通風路の前記吸気口から吸気された空気を前記放出口から前記収納空間へ送風する送送風手段と、を備える構成としたものである。
【００１３】
上記構成により、静電霧化発生装置から発生した帯電微粒子水をスポンジ等に放出することで、除菌溶液などの薬剤を使用せずにスポンジ等の除菌・消臭をすることができる除菌装置を提供することができる。
【発明の効果】
【００１４】
本発明の除菌装置は、除菌溶液などの薬剤を使用せずにスポンジ等の除菌・消臭を行うことができる。
【図面の簡単な説明】
【００１５】
【図１】本発明の実施の形態１における除菌装置の縦断面図
【図２】同除菌装置の本体容器蓋内部の平面図
【図３】同除菌装置の本体容器の底面図
【図４】同除菌装置の正面図
【図５】同除菌装置の右側面図
【図６】同除菌装置の左側面図
【図７】従来のスポンジ除菌装置における分解斜視図
【図８】同スポンジ除菌装置の斜視図
【発明を実施するための形態】
【００１６】
第１の発明は、内部に収納空間を備えるとともに、前記収納空間に被収納物を出し入れする開口部を有する本体と、前記本体の前記開口部と開口可能な蓋と、外気を吸気する吸気口と前記収納空間と連通する放出口を有する通風路と、前記通風路に帯電微粒子水を放出する静電霧化発生装置ユニットと、前記通風路の前記吸気口から吸気された空気を前記放出口から前記収納空間へ送風する送風手段と、を備えることにより、除菌溶液などの薬剤を使用せずにスポンジ等の除菌・消臭を行うことができる除菌装置を提供することができる。
【００１７】
第２の発明は、特に、第１の発明の除菌装置の前記本体の下部に排水口を形成することにより、前記本体内の水を排水することができる。
【００１８】
以下、本発明の実施の形態について、図面を参照しながら説明する。なお、この実施の形態によって本発明が限定されるものではない。
【００１９】
（実施の形態１）
図１は本発明の実施の形態１における除菌装置の断面図、図２は同除菌装置の本体容器蓋内部の平面図、図３は同除菌装置の本体容器の底面図、図４は同除菌装置の正面図、図５は同除菌装置の右側面図、図６は同除菌装置の左側面図である。
【００２０】
図１において、本体容器１は、振動抑制用脚ゴム４により防振支持されている。本体容器１の内方下部には、食器洗い用スポンジ等を配置する網目状の土台２が設けられている。また、本体容器１の下部には、排気・排水口３が設けられており、本体容器１の上部には、放出口８が設けられている。
【００２１】
本体容器１の上部と着脱可能な本体容器蓋５が設けられている。本体容器１の上側に本体容器蓋５を載置することにより、本体容器１と本体容器蓋５は上・下部二階式に固定さ
れている。
【００２２】
本体容器蓋５には、外気を本体容器蓋５の内部へ吸気する吸気口６が設けられるとともに、吸気口６から吸気された空気を本体容器１の収納空間へ放出する放出口８が設けられている。また、吸気口６と放出口８を連通する通風路１８が設けられている。
【００２３】
通風路１８の内部には、静電霧化発生ユニット７が設けられている。静電霧化発生ユニット７の内部には、静電霧化により帯電微粒子水を発生させる静電霧化発生装置１６が設けられている。
【００２４】
静電霧化発生装置１６は、冷却部（図示せず）によって放電電極（図示せず）を冷却して、放電電極の表面に結露水を生成する。放電電極に高電圧を印加して放電させることにより、ＯＨラジカルを含んだ直径５ｎｍ〜２０ｎｍの帯電微粒子水を空気中に飛散させる。帯電微粒子水は、放電電極の先端部に保持された結露水を霧化させて弱酸性の電荷を持っており、除菌・脱臭効果を有している。
【００２５】
また、静電霧化発生ユニット７の内部には、静電霧化発生装置１６の動作を制御する制御装置１１が設けられている。制御装置１１は、マイクロコンピュータからなる制御手段（図示せず）を具備し、静電霧化発生ユニット７を制御するとともに、一連の工程を逐次制御するように構成している。
【００２６】
静電霧化発生装置１６と制御装置１１は、静電霧化発生装置用リード線１５により通電している。
【００２７】
通風路１８の内部には、送風回転ファン９が静電霧化発生ユニット７よりも下流側に設けられている。静電霧化発生ユニット７により発生した帯電微粒子水は、送風回転ファン９により放出口８を通り図１の矢印Ａ方向に送風される。
【００２８】
送風回転ファン９の上部には、送風回転ファン９を駆動させるモータ１０が設けられており、送風回転ファン９とモータ１０により送風手段が構成されている。
【００２９】
本体容器蓋５の内部には、電源装置１７が設けられている。電源装置１７は電源コード１２を介して商用電源コンセント（図示せず）と通電している。また、電源装置１７とモータ１０はモータ動作用リード線１４によって通電しており、電源装置１７と制御装置１１は制御基板用リード線１３によって通電している。
【００３０】
上記の構成における除菌装置において、以下に動作・作用を示す。
【００３１】
図１において、吸気口６から本体容器蓋５の内部に吸気された外気は、送風手段によって通風路１８内を通り、静電霧化発生ユニット７に送られる。
【００３２】
静電霧化発生ユニット７内の静電霧化発生装置１６は、冷却部（図示せず）で放電電極を冷却することにより、放電電極の表面に結露水を生成する。また、静電霧化発生装置１６は、放電電極に高電圧を印加して放電させることにより、ＯＨラジカルを含んだ直径５〜２０ｎｍの帯電微粒子水を空気中に飛散させる。
【００３３】
静電霧化発生装置１６により発生した帯電微粒子水は、通風路１８内を通り、送風回転ファン９に送られる。そして、帯電微粒子水は、放出口８を通り、本体容器１内部の土台２へ向けて図１の矢印Ａ方向に送風される。
【００３４】
帯電微粒子水は、スポンジ等の内部に浸透しながら通り抜ける。ここで、帯電微粒子水は、弱酸性の電荷を有しており、除菌・脱臭効果があるため、スポンジ等の除菌・脱臭を行うことができる。
【００３５】
また、制御装置１１は、一定時間、静電霧化発生装置１６と送風手段を動作させた後、静電霧化発生装置１６の運転を停止して、送風手段のみを動作させるよう制御する。送風回転ファン９による送風によって、本体容器１内の空気を循環させることができるので、スポンジ等を乾燥させて雑菌の繁殖を抑制することができる。
【００３６】
また、外部電源を利用する電源コード１２は、本体容器蓋５内の電源装置１７と通電している。また、電源装置１７と送風回転ファン９はモータ動作用リード線１４により通電しており、電源装置１７と制御装置１１は制御基板用リード線１３により通電しているため、電源装置１７を介して本除菌装置のＯＮ・ＯＦＦの動作を実施する。
【００３７】
なお、本実施の形態では、本体容器１の底面をすのこ状に構成してもよい。本体容器１の底面をすのこ状に構成することにより、本体容器１内の通気性が向上するので、スポンジ等を効率的に乾燥させることができる。
【００３８】
また、本実施の形態では、外部からの水が吸気口６から第１の通風路１８内に浸入しないように、本体容器１の側面に窪みを設け、窪み部分に吸気口６を形成してもよい。上記構成とすることで、除菌装置をキッチンシンクなど水周りに配置する場合においても、除菌装置の内部に水が浸入して不具合が発生することを軽減することができる。
【００３９】
また、本実施の形態では、商用電源を利用して除菌装置を動作させているが、電池を利用して除菌装置を動作させる構成であってもよい。電池を利用して除菌装置を動作させることにより、商用電源を利用できない環境においても除菌機を動作させることができるので、利便性を向上することができる。
【００４０】
また、本実施の形態では、静電霧化発生ユニット７は送風回転ファン９の負圧領域に配置されているが、静電霧化発生ユニット７は送風回転ファン９の正圧領域に配置されていてもよい。
【００４１】
また、本実施の形態では、静電霧化発生装置１６は通風路１８内に設けられているが、この構成に限定されるものでなく、静電霧化発生装置１６を通風路１８の外部に設け、静電霧化発生装置１６により生成した帯電微粒子水を通風路１８に放出する構成であってもよい。
【００４２】
また、本実施の形態では、図１のように、本体容器１の上部にスポンジ等を出し入れする開口部を設け、本体容器１の上部に本体容器蓋５を着脱自在に載置する構成としている。しかし、本発明はこの構成に限定されるものでなく、本体容器１の側面に台布巾等を出し入れする開口部を設けるとともに、本体容器１の開口部をヒンジ等を用いて開閉可能にする扉を設け、送風手段及び静電霧化発生ユニット７を含む通風路１８を本体容器１の内部に配設する構成としてもよい。
【００４３】
以上のように、本実施の形態においては、静電霧化発生装置から発生した帯電微粒子水をスポンジ等に放出することで、除菌溶液などの薬剤を使用せずにスポンジ等の除菌・消臭をすることができるので、スポンジ等を常時清潔に保つことができる。
【産業上の利用可能性】
【００４４】
以上のように、本発明にかかる除菌装置は、本体容器内の食器洗い用スポンジ等に、本
体容器内部に帯電微粒子水を充満させることにより、除菌・消臭を行うことが可能となるので、食器用布巾や食器小物の用途に適用できる。
【符号の説明】
【００４５】
１  本体容器
２  土台
３  排気・排水口
４  振動抑制用脚ゴム
５  本体容器蓋
６  吸気口
７  静電霧化発生ユニット
８  放出口
９  送風回転ファン
１０  モータ
１１  制御装置
１２  電源コード
１３  制御基板用リード線
１４  モータ動作用リード線
１５  静電霧化発生装置用リード線
１６  静電霧化発生装置
１７  電源装置
１８  通風路
１０１  本体容器
１０２  穴
１０３  爪部
１０４  作業皿
１０５  係止部
１０６  除菌溶液
１０７  スポンジ
【図１】
2018000398.tif 000003
【図２】
2018000398.tif 000004
【図３】
2018000398.tif 000005
【図４】
2018000398.tif 000006
【図５】
2018000398.tif 000007
【図６】
2018000398.tif 000008
【図７】
2018000398.tif 000009
【図８】
2018000398.tif 000010